(57)【要約】【課題】  便袋を繰り返し使用することに加えて、便袋の大便が排便の都度目視されることなく、臭いが外部に漏れることなく、便袋に収容された大便の上へ直接排便しないようにする。【解決手段】  便器本体１において、便袋１０の底部に当接すべく移動可能に構成された開閉部材２６，３１を設け、便器本体１に内挿された便袋１０の底部に二つの便収容部１１，１２を形成し、便袋１０の一方の便収容部１１を、便器本体１の排便収容領域Ｃに位置させると共に、便袋１０の別方の便収容部１２を便袋逃がし領域Ｅに位置させ、排便後、開閉部材２６，３１によって、便袋１０の一方の便収容部１１の開口部を密封し、便袋１０の別方の便収容部１２を便袋逃がし領域Ｅから排便収容領域Ｃに位置させ、二回目以降の排便の際、排便収容領域Ｃに位置した便袋１０の別方の便収容部１２に排便する。【選択図】    図１
2005261463.tif 000002
【特許請求の範囲】
【請求項１】
排便が収容可能な排便収容領域を有する便器本体と、該便器本体に内挿される便袋と、該便袋の分割可能な位置に、又は、分割によって形成される便袋の便収容部の開口部の開閉可能な位置に設けられた開閉部材とを備えたことを特徴とする簡易便器。
【請求項２】
開閉部材によって閉塞された便袋の便収容部の開口部を密封状態に保持する密封保持手段、及び、密封保持解除手段が設けられてなることを特徴とする請求項１に記載の簡易便器。
【請求項３】
開閉部材の分割によって形成された便袋の便収容部の開口径を調整する開口径調整手段が設けられてなることを特徴とする請求項１又は２に記載の簡易便器。
【請求項４】
便器本体には、未使用、又は、使用後の便袋の便収容部を便器本体の排便収容領域の外側に位置させ、且つ、使用する便袋の便収容部を便器本体の排便収容領域に位置させるための便袋逃し領域が、便器本体の排便収容領域の外側に形成されてなることを特徴とする請求項１乃至３のいずれか１項に記載の簡易便器。
【請求項５】
開閉部材が、開位置及び閉位置において便器本体の便袋逃がし領域に位置してなることを特徴とする請求項４に記載の簡易便器。
【請求項６】
便袋には、便袋の分割可能な位置に中折り部が形成されてなることを特徴とする請求項１乃至５のいずれか１項に記載の簡易便器。
【発明の詳細な説明】
【技術分野】
【０００１】
本発明は、便器本体に便袋を内挿した簡易便器に関する。
【背景技術】
【０００２】
従来の簡易便器としては、上面開口部を有する箱状の便収容部と、その上縁部が便収容部の開口部に係脱可能な便袋と、該便収容部の開口部に前後動可能に設けられた左右方向の板状の便袋保持部材と、便収容部の開口部の両側に取り付けられた前後方向のガイド部材と、該ガイド部材の後端部に固定された左右方向の板状のストッパと、ガイド部材に沿って便袋保持部材を前後動させる伸縮アームと、該伸縮アームを介して便袋保持部材に連結された便収容部の蓋とから構成されているものが公知になっている。（例えば、特許文献１参照）。
【０００３】
つぎに前記簡易便器の使用態様について説明する。まず、使用前の状態においては、便収容部の蓋が閉じられて、伸縮アームが折畳まれて、便袋保持部材がガイド部材の後端部に位置してストッパに当接している。
【０００４】
つぎに、排便する際、便収容部の蓋を開くと、伸縮アームが伸長すると共に、便袋保持部材がストッパから離脱してガイド部材に沿って前方へ移動し、便収容部の開口部が開放された状態になる。この状態において、開放された便収容部の開口部から便袋を内挿すると共に、便袋保持部材及びストッパに便袋の上縁部を係止させる。そうすれば、便袋の開口部が開放された状態で便収容部にセットされ、排便が可能になる。
【０００５】
使用後、蓋を閉じると、伸縮アームが折畳まれて、便袋保持部材がガイド部材に沿って後方へ移動し、便袋保持部材がストッパに当接して、便袋の開口部が閉じられて密封される。よって、便袋からの臭いが外部に漏れることがなく、繰り返し便袋を使用できる。
【０００６】
また、二回目以降に排便する際、便収容部の蓋を再度開くと共に、便袋の開口部を開いて排便する。
【０００７】
【特許文献１】特許第３４５６９４４号公報（第１―８頁、図１乃至図１２）
【発明の開示】
【発明が解決しようとする課題】
【０００８】
しかしながら、従来の簡易便器の場合、便袋の開口部を繰り返し使用した際、便袋に収容された大便を排便の都度目視することになって不快であると共に、臭いが外部に漏れるという問題がある。
【０００９】
さらに、便袋に収容された大便の上に繰り返し排便すれば不衛生であるという問題が生じる。
【００１０】
そこで、本発明は上記問題点に鑑み、便袋を繰り返し使用することに加えて、便袋の大便が排便の都度目視されることを防止できると共に、臭いが外部に漏れることを防止でき、さらに、便袋に収容された大便の上への排便を防止できる簡易便器を提供することを目的とする。
【課題を解決するための手段】
【００１１】
上記課題を解決するために、本発明の簡易便器は、請求項１に示す如く、排便が収容可能な排便収容領域を有する便器本体と、該便器本体に内挿される便袋と、該便袋の分割可能な位置に、又は、分割によって形成される便袋の便収容部の開口部の開閉可能な位置に設けられた開閉部材とを備えたものである。
【００１２】
この場合、例えば、開閉部材として、互いが近接及び離反して開閉する一対の平行移動棒を使用し、該一対の平行移動棒を、便袋の両側方、及び、便袋の開口部にそれぞれ設ける。そして、初回の排便の際、各平行移動棒を離間させた状態にして、便を便袋の底部に収容する。排便後、便袋の両側方設けた両平行移動棒を近接させ、便袋の側部を閉塞する。この際、便袋が上下に二分されるため、便袋を少なくとも二回以上使用できる。また、二回目以降の排便の際には、開口された便袋の上部の便収容部を使用することになる。
【００１３】
よって、二回目以降に排便する際には、便袋の下部の便収容部に収容された便を目視することはなく、不快な思いをせずに済む。さらに、便袋の下部の便収容部が閉塞されているため、収容された便の上に繰り返し排便することがなく、衛生的である
【００１４】
なお、ここでいう便袋の分割可能な位置とは便袋の底部及び側部であり、例えば、便袋の底部を前後又は左右に二分するようにしてもよいし、便袋の側部を上下に二分するようにしてもよい。但し、便袋を上下に分割にした場合には、上述したように、便袋の開口部にも開閉部材を設ける必要がある。また、便袋は、二分割に限定されるものではないが、開閉機構が複雑になる点と、きれいな排便収容が困難になる点とを考慮した場合、三分割程度が好ましい。
【００１５】
また、請求項２に示す如く、開閉部材によって閉塞された便袋の便収容部を密封状態に保持する密封保持手段、及び、密封保持解除手段を設けてもよい。
【００１６】
したがって、便袋の便収容部から外部に臭いが漏れ出ることがなく、周囲の人に不快感を与えることがない。
【００１７】
さらに、請求項３に示す如く、開閉部材の分割によって形成された便袋の便収容部の開口径を調整する開口径調整手段を設けるのが好ましい。
【００１８】
そうすれば、便袋の便収容部の開口径を、小便及び大便に応じて自由に調整できるようになる。
【００１９】
加えて、請求項４に示す如く、未使用、又は、使用後の便袋の便収容部を便器本体の排便収容領域の外側に位置させ、且つ、使用する便袋の便収容部を便器本体の排便収容領域に位置させるための便袋逃し領域を、便器本体の排便収容領域の外側に形成してもよい。
【００２０】
この場合、未使用、又は、使用後の便袋の便収容部が、便器本体の排便収容領域の外側に形成された便袋逃し領域に位置することになるため、排便の際、使用する便袋の便収容部が便器本体の排便収容領域に常に位置することになり、排便の収容がより一層確実になる。
【００２１】
また、請求項５に示す如く、開閉部材を、開位置及び閉位置において便器本体の便袋逃がし領域に位置させることが望ましい。
【００２２】
そうすれば、開閉部材が便器本体の排便収容領域に位置することがないため、開閉部材によって便の収容が邪魔されることがなく、便が、便袋の便収容部に確実に且つきれいに収容できる。
【００２３】
さらに、請求項６に示す如く、便袋の分割可能な位置に中折り部を形成するのが好ましい。
【００２４】
したがって、開閉部材による便袋の分割が円滑に行われる。さらに、便袋の中折り部が開閉部材に当接しやすいように便器本体にセットすればよく、便袋への内挿も簡単に行える。
【発明の効果】
【００２５】
以上説明したように、本発明の簡易便器は、本発明の簡易便器によれば、開閉部材を、便袋の分割可能な位置に、又は、分割によって形成される便袋の便収容部の開口部の開閉可能な位置に設けたので、便袋に複数の便収容部が形成されることになり、便袋が複数回使用できて経済的である。
【００２６】
さらに、分割された便袋の便収容部の開口部を、開閉部材によって開閉するようにしたため、便を収容した使用後の便袋の便収容部が閉塞されて、使用する人に対して不快感や不潔なイメージを与えることがない。
【００２７】
また、閉塞された便袋の便収容部を密封保持するようにしたので、防臭効果を奏することができる。
【００２８】
さらに、便袋の便収容部の開口径を調整するようにしたので、大便と小便とによって開口径を調整してもよく、排便する量に応じて便収容部の開口径を調整するようにしてもよく、介護者を含めて、大人から子供まで幅広く適用できる。
【００２９】
加えて、排便の際、使用する便袋の便収容部を便器本体の排便収容領域に常に位置するようにしたので、便袋の便収容部の位置を気にすることなく排便するのに有効である。
【００３０】
また、開閉部材を、開位置及び閉位置において便器本体の便袋逃がし領域に位置させることで、便の収容を、確実に且つきれいに行える。
【００３１】
さらに、便袋に形成される中折り部は、便袋の底部又は側部に窪みを形成するだけでよく、安価に製造できる効果がある。
【発明を実施するための最良の形態】
【００３２】
本発明を実施するための最良の形態につき、図１〜図６を参照して説明する。
【００３３】
まず、本発明の簡易便器は、排便が収容可能な排便収容領域Ｃを有する便器本体１と、該便器本体１に内挿される便袋１０と、便器本体１に設けられた便袋操作機構部１５と、便器本体１の後上部に回動可能に設けられた便座４０とから構成されている。なお、図３〜図６のＡは、小便収容領域、Ｂは大便収容領域、Ｃは排便収容領域、Ｄは前部便袋逃がし領域、Ｅは後部便袋逃がし領域を示す。
【００３４】
便器本体１は、左右の両側板２，２と、断面が略逆Ｓ字の曲面を有する前板５と、断面が略Ｓ字の曲面を有する後板６と、楕円形状の開口部７とを具備している。そして、便器本体１の略中央部に排便収容領域Ｃが形成されており、該排便収容領域Ｃの前側が小便領域Ａとなり、排便収容領域Ｃの後側が大便収容領域Ｂとなっている。
【００３５】
両側板２，２の前縁部は斜め後方に傾斜して、上端部が前方に突出している。この理由としては、後述する便袋操作機構部１５の操作棒１６を操作しやすい位置に回動支持するためである。さらに、両側板２，２の後縁部の上側部には、支持脚８，８が形成されている。この両支持脚８，８の間には、便座４０を回動可能に支持するための支持板９が架設されている。
【００３６】
両側板２，２には、後側中央部から前方にかけて緩やかに下降した円弧状の調整用ガイド穴３と、後側下部から前方にかけて緩やかに上昇した円弧状の開閉用ガイド穴４とが形成されている。
【００３７】
調整用ガイド穴３の後端部の位置は、後部便袋逃がし領域Ｅの上側に位置している。この位置は、後述する便袋操作機構部１５の開閉部材としての調整用移動棒２６の開位置であると共に、便袋１０の側部を分割する位置でもある。
【００３８】
即ち、調整用ガイド穴３の後端部の位置によって、上述した便袋操作機構部１５の調整用移動棒２６が便袋１０の側部に当接して、便袋１０に形成される第二便収容部１２の開口部を形成する。
【００３９】
一方、調整用ガイド穴３の前端部の位置は、開閉用ガイド穴４の前端部の後方に小さな間隔をおいて略同一高さで位置すると共に、排便収容領域Ｃ（小便収容領域Ａと大便収容領域Ｂとの境界）に位置している。
【００４０】
開閉用ガイド穴４の後端部の位置は、調整用ガイド穴３の後端部と大きな間隔をおいて後部便袋逃がし領域Ｅの下側に位置すると共に、便器本体１の底部からも離間した位置にある。この位置は、後述する便袋操作機構部１５の開閉部材としての開閉用移動棒３１の開位置であると共に、便袋１０の底部を分割した位置でもある。
【００４１】
即ち、開閉用ガイド穴４の後端部の位置によって、上述した便袋操作機構部１５の開閉用移動棒３１が、後部便袋逃がし領域Ｅにおいて、便袋１０の底部を押し上げて前後に二分し、便袋１０の底部の前後に第一便収容部、及び、第二便収容部１２が形成される。さらに、後部便袋逃がし領域Ｅにおいて、調整用ガイド穴３の後端部が、開閉用ガイド穴４の後端部に対して上方に位置しているため、便袋１０の第一便収容部１１が開口した状態で排便収容領域Ｃに位置すると共に、便袋１０の第二便収容部１２が開口した状態で後部便袋逃がし領域Ｅに位置することになる。加えて、便袋操作機構部１５の調整用移動棒２６、及び、開閉用移動棒３１が後部便袋逃がし領域Ｅに位置するため、排便収容領域Ｃにおいて支障なく排便できる。
【００４２】
一方、開閉用ガイド穴４の前端部の位置は、調整用ガイド穴３の前端部の前方に小さな間隔をおいて略同一高さで位置すると共に、小便収容領域Ａと前部便袋逃がし領域Ｄとの境界に位置している。この位置は、便袋操作機構部１５の開閉用移動棒３１の閉位置であると共に、排便収容領域Ｃ（小便収容領域Ａ）と前部便袋逃がし領域Ｄとの境界に位置している。
【００４３】
即ち、開閉用ガイド穴４の前端部の位置によって、前部便袋逃がし領域Ｄにおいて、使用後の便袋１０の第一便収容部１１の開口部が閉塞される。さらに、開閉用ガイド穴４の前端部の位置、及び、調整用ガイド穴３の前端部の位置によって、便器本体１の排便収容領域Ｃ（小便収容領域Ａ）において、二回目以降に使用する便袋１０の第二便収容部１２の開口径が縮径され、小便の収容が可能になる。加えて、開閉用ガイド穴４の前端部の位置、及び、調整用ガイド穴３の後端部の位置によって、便器本体１の排便収容領域Ｃ（大便収容領域Ｂ）において、二回目以降に使用する便袋１０の第二便収容部１２の開口径が拡径され、大便の収容が可能になる。なお、縮径及び拡径された便袋１０の第二便収容部１２の開口部は略真上に向いているため、排便を収容しやすい状態となっている。また、二回目以降に使用する便袋１０の第二便収容部１２に排便する場合、便袋１０の第一便収容部１１は、前部便袋逃がし領域Ｄに位置するため、排便に支障をきたさない。
【００４４】
前板５は、緩やかに下降傾斜した上部の傾斜面と、中央部の円弧状の曲面と、下部の円弧状の膨出部とが連設されて、全体として略逆Ｓ字の曲面となっている。上部の傾斜面と中央部の曲面とによって、小便が小便収容領域Ａに円滑に流入できるように構成されている。さらに、中央部の曲面と下部の膨出部との境界部位が、使用後の便袋１０の第一便収容部１１の閉塞部位となる。加えて、前方に膨出された下部の膨出部が、上述した前部便袋逃がし領域Ｄを形成している。この前部便袋逃がし領域Ｄを形成した理由としては、使用後の便袋１０の第一便収容部１１を前部便袋逃がし領域Ｄに位置させて、使用する便袋の第二便収容部１２を排便収容領域Ｃに位置させるためである。
【００４５】
後板６は、急傾斜した上部の傾斜面と、下部の円弧状の膨出部とが連設されて、全体として略Ｓ字の曲面となっている。後板６の上部の傾斜面と、前板５の上部の傾斜面及び中央部の曲面とによって、便袋１０の斜め下方への内挿が円滑に行われるように構成されている。さらに、後方に膨出された下部の膨出部が、上述した後部便袋逃がし領域Ｅを形成している。この後部便袋逃がし領域Ｅを形成した理由としては、未使用（二回目以降に使用）の便袋１０の第二便収容部１２を後部便袋逃がし領域Ｅに位置させて、使用する便袋１０の第一便収容部１１を排便収容領域Ｃに位置させるためである。
【００４６】
便袋１０は、透水性、生分解性、吸水性の素材のうち一つ、或いは、これらの素材を適宜選択して組み合わせて製造されている。例えば、活性炭を含浸させたとうもろこしの植物繊維を使用してもよく、納豆菌の植物繊維などを使用してもよい。さらに、便袋１０の開口部には、便器本体１の開口部７に係脱するための伸縮部材１３が縫着されている。加えて、便袋１０の底部には、開閉用移動棒３１が当接する中折り部１４が形成されている。該中折り部１４によって便袋１０の底部には、使用する第一便収容部１１と、未使用の第二便収容部１２とが形成されることになる。なお、便袋１０としては、便器本体１の開口部７の周縁部に係脱可能であればよく、伸縮部材１３に限定されるものではない。例えば、紐、面ファスナ、フックなどであってもよい。
【００４７】
便袋操作機構部１５は、便器本体１の両側板２，２の前側上端部に取り付けられた左右方向の支軸１５ａと、該支軸１５ａの両端部に回動可能に支持された略Ｖ字形状の操作用回動レバー１８と、該操作用回動レバー１８に取り付けられた略Ｌ字形状の操作棒１６と、直線状の連結レバー２０を介して操作用回動レバー１８に連結された略逆レ字形状の調整用回動レバー２５と、該調整用回動レバー２５に取り付けられた左右方向の調整用移動棒２６と、調整用回動レバー２５に係止した第一スプリング２７と、調整用回動レバー２５の下方に設けられた円弧状の開閉用回動レバー３０と、該開閉用回動レバー３０の先端部に取り付けられた左右方向の開閉用移動棒３１と、該開閉用回動レバー３０の中央部に係止した第二スプリング３２と、操作用回動レバー１８の下方に設けられた略逆へ字形状の復帰用回動レバー３５と、該復帰用回動レバー３５を開閉用回動レバー３０から離脱する方向に付勢するねじりばね３６とを備えている。なお、操作棒１６を除くこれら部材は、便器本体１の左右対称に設けられている。
【００４８】
操作用回動レバー１８は、支軸１５ａに固着された基部を支点として回動し、一方の長側端部に操作棒１６が取り付けられることで、支点からの距離が大きくなって操作がしやすくなると共に、小さな力で操作できるようになる。さらに、別方の短側端部には、ピン１９が植設されている。このピン１９は、連結レバー２０の一端部に形成された楕円形状の長穴２１に遊挿されている。この連結レバー２０の長穴２１は、操作棒１６の正逆の回動を可能にするためのものである。即ち、操作棒１６を正方向及び逆方向に回動することで、連結レバー２０の別端部に連結された調整用回動レバー２５の調整用ガイド穴３の往復動が可能になる。なお、操作棒１６の別端部には、緩衝部材からなる把持部１７が設けられている。
【００４９】
調整用回動レバー２５は、支軸１５ａの後方に回動可能に支持された基部を支点としており、円弧状の長側端部には、調整用ガイド穴３に遊挿された調整用移動棒２６が取り付けられている。即ち、調整用回動レバー２５の基部を支点として回動する調整用移動棒２６の長側端部の軌跡が調整用ガイド穴３となっている。
【００５０】
調整用回動レバー２５の支点の斜め上方には、第一スプリング２７の支点が設けられている。この第一スプリング２７は、調整用回動レバー２５の長側端部の中央部に係止し、調整用回動レバー２５の拡径及び縮径の位置を保持すると共に、調整用回動レバー２５の調整用ガイド穴３の往復動を可能にしている。さらに、第一スプリング２７の中心線、及び、調整用回動レバー２５の長側端部の中心線が略一致する位置、即ち、調整用ガイド穴３の中間位置が調整用回動レバー２５の思案点となっている。
【００５１】
開閉用回動レバー３０は、調整用回動レバー２５の支点の斜め下方に回動可能に支持された一端部を支点としており、開閉用回動レバー３０の中央部が、拡径位置の調整用移動棒２６の近傍に位置している。さらに、開閉用回動レバー３０の別端部には、開閉用ガイド穴４に遊挿された開閉用移動棒３１が取り付けられている。即ち、開閉用回動レバー３０の一端部を支点として回動する開閉用移動棒３１の別端部の軌跡が開閉用ガイド穴４となっている。
【００５２】
開閉用回動レバー３０の支点の斜め上方には、第二スプリング３２の支点が設けられている。この第二スプリング３２は、開閉用回動レバー３０の中央部に係止し、開閉用回動レバー３０の開位置及び閉位置を保持すると共に、開閉用回動レバー３０の開閉用ガイド穴４の往復動を可能にしている。さらに、第二スプリング３２の中心線、及び、開閉用回動レバー３０の中心線が略一致する位置、即ち、開閉用ガイド穴４の中間位置が開閉用回動レバー３０の思案点となっている。
【００５３】
調整用回動レバー２５の長側端部、及び、開閉用回動レバー３０が共に円弧状である理由としては、調整用回動レバー２５が開閉用回動レバー３０の円弧面を摺動しやすいようにするためである。これは、開閉用回動レバー３０における開閉用ガイド穴４の後端部から中間位置（思案点）を少し越えるまでの回動を、操作棒１６から伝達された調整用回動レバー２５の回動力を利用することによって可能にしているためである。
【００５４】
復帰用回動レバー３５は、開閉用回動レバー３０の支点の前方に回動可能に支持された基部を支点としており、復帰用回動レバー３５の長側端部が操作用回動レバー１８の長側端部に当接すると共に、復帰用回動レバー３５の短側端部が開閉用回動レバー３０の支点の近傍に位置している。この復帰用回動レバー３５の別方の短側端部が開閉用回動レバー３０の支点の近傍に位置している理由としては、開閉用回動レバー３０における開閉用ガイド穴４の前端部から中間位置（思案点）を少し越えるまでの回動を、操作棒１６から伝達された復帰用回動レバー３５の回動力を利用することによって可能にしているためである。即ち、開閉用回動レバー３０の閉位置において、復帰用回動レバー３５の基部を支点として回動する復帰用回動レバー３５の短側端部が、開閉用回動レバー３０の円弧面を摺動し、復帰用回動レバー３５の短側端部の軌跡によって、開閉用回動レバー３０が開位置まで戻ることになる。
【００５５】
つまり、操作用回動レバー１８を操作すれば、調整用回動レバー２５、及び、復帰用回動レバー３５の回動に連動して開閉用回動レバー３０が開閉することになる。
【００５６】
ねじりばね３６は、復帰用回動レバー３５の基部の支軸３７と、復帰用回動レバー３５の長側端部と、支軸の前方のピン３８とに捲回されている。そして、復帰用回動レバー３５は、ねじりばね３６の付勢力によって調整用回動レバー２５から離間する方向に付勢されている。
【００５７】
便座４０は、市販されている略Ｕ字形状のものが使用されており、両側板２，２の支持脚８，８に支持された支持板９において回動可能に軸支されている。
【００５８】
つぎに本発明の簡易便器の使用態様について説明する。図３の状態はスタンバイ状態であり、便座４０が鎖線に示すように便器本体１の開口部７から離脱すると共に、操作棒１６が便器本体１の開口部７から臨出されている。しかも、操作用回動レバー１８のピン１９が連結レバー２０の長穴２１の一端部に当接している。さらに、調整用回動レバー２５が開位置に位置すると共に、開閉部材としての調整用移動棒２６が調整用ガイド穴３の後端部、即ち便器本体１の後部便袋逃がし領域Ｅの上側に位置している。加えて、開閉用回動レバー３０が開位置に位置すると共に、開閉部材としての開閉用移動棒３１が開閉用ガイド穴４の後端部、即ち便器本体１の後部便袋逃がし領域Ｅの下側に位置している。
【００５９】
そして、この状態から排便する場合、図２に示す便袋１０を便器本体１に内挿すると共に、便袋１０の伸縮部材１３を便器本体１の開口部７に係止する一方、便座４０を矢印の方向に回動して便器本体１の開口部７の周縁部に当接する。
【００６０】
この際、便袋１０は、便器本体１の前板５の略Ｓ字形状の曲面、及び、後板６の略逆Ｓ字形状の曲面によって、やや斜め後方に内挿されて、便袋１０の底部の中折り部１４が開閉用移動棒３１に当接する。即ち、便袋１０の底部の前側部が便器本体１の前板５と開閉用移動棒３１との間に位置すると共に、便袋１０の底部の後側部が調整用移動棒２６と開閉用移動棒３１との間に位置する。よって、便器本体１の前板５と開閉用移動棒３１との間（排便収容領域Ｃ）に位置する便袋１０の底部の前側部が第一便収容部１１となり、調整用移動棒２６と開閉用移動棒３１との間（後部便袋逃がし領域Ｅ）に位置する便袋１０の底部の後側部が第二便収容部１２となる。したがって、便器本体１の底部には、便袋１０の第一便収容部１１及び第二便収容部１２が開口された状態で前後に並設されることになる。
【００６１】
この状態で排便が行われ、排便収容領域Ｃにおいて開口された便袋１０の第一便収容部１１に大便が収容される。
【００６２】
つぎに、排便後、操作棒１６を下方に回動すると、操作用回動レバー１８、連結レバー２０を介して調整用回動レバー２５が回動し、調整用移動棒２６が調整用ガイド穴３の後端部から離脱して調整用ガイド穴３に沿って移動して開閉用回動レバー３０に当接する。
【００６３】
続いて、さらなる操作棒１６の回動によって、調整用移動棒２６が開閉用回動レバー３０の円弧面に沿って摺動し、開閉用移動棒３１が開閉用ガイド穴４の後端部から離脱して開閉用ガイド穴４に沿って移動する。
【００６４】
そして、図４に示すように、調整用ガイド穴３の略中間位置（思案点）において、調整用回動レバー２５の回動により第一スプリング２７の引張力が蓄積される一方、開閉用ガイド穴４の略中間位置（思案点）において、開閉用回動レバー３０の回動により第二スプリング３２の引張力が蓄積される。
【００６５】
つぎに、図４の状態から操作棒１６を下方に少し回動すると、図５に示すように、調整用移動棒２６が調整用ガイド穴３の略中間位置（思案点）を越える一方、開閉用移動棒３１が開閉用ガイド穴４の略中間位置（思案点）を超えることになる。
【００６６】
この際、蓄積された第一スプリング２７の引張力が放勢され、調整用移動棒２６が調整用ガイド穴３の前端部に当接する一方、蓄積された第二スプリング３２の引張力が放勢され、開閉用移動棒３１が開閉用ガイド穴４の前端部に当接する。
【００６７】
この当接によって、使用された便袋１０の第一便収容部１１が排便収容領域Ｃから前部便袋逃がし領域Ｄに移動して、便袋１０の第一便収容部１１が前部便袋逃がし領域Ｄにおいて閉塞されて密封される。これと同時に、使用される便袋１０の第二便収容部１２が後部便袋逃がし領域Ｅから排便収容領域Ｃに移動する。但し、この場合、便袋１０の第二便収容部１２の開口部が縮径されるため、便袋１０の第二便収容部１２の開口部は排便収容領域Ｃの小便収容領域Ａに位置することになる。さらに、便袋１０の第二便収容部１２の開口部が、便器本体１の前板５の傾斜面の直下に位置することによって、落下する大半の小便が便袋１０の第二便収容部１２に収容されることになる。
【００６８】
また、二回目以降に排便（大便を含む）する場合には、図６に示すように、図５の状態、即ち便袋１０の第一便収容部１１の開口部が密封されると共に、第二便収容部１２が縮径された状態から、操作棒１６を上方に回動する。この際、操作用回動レバー１８のピン１９が、連結レバー２０の長穴２１の一端部から別端部に移動して当接する。この当接した操作用回動レバー１８のピン１９を支点として連結レバー２０、調整用回動レバー２５が回動し、調整用移動棒２６が調整用ガイド穴３の前端部から離脱して後端部側に移動する。つまり、調整用移動棒２６が開閉用移動棒３１から大きく離間して、便袋１０の第二便収容部１２の開口部が拡径され、便袋１０の第二便収容部１２の開口部が排便収容領域Ｃに位置し、小便及び大便を収容できるようになる。なお、小便のみの収容であれば、便袋１０は何度も使用できる。また、大抵の場合、便袋１０の一日の使用量は、１人１袋の使用で足りる。
【００６９】
このように、本発明の簡易便器によれば、スタンバイ状態においては、便袋１０の底部に、使用する第一便収容部１１と、次回使用する第二便収容部１２が形成される。さらに、排便後、使用後の便袋１０の第一便収容部１１が密封されることで、便袋１０の第一便収容部１１に収容された便を使用者が目視することがない。加えて、便袋１０の第二便収容部１２を後部便袋逃がし領域Ｅから排便収容領域Ｃに位置させることで、便袋１０の第一便収容部１１に収容された便の上には、直接排便することがないため、衛生的である。そして、二回目以降の排便の際、便袋１０の第二便収容部１２の開口径を調整して排便できるように工夫されている。
【００７０】
つぎに簡易便器の便器本体１に内挿された使用後の便袋１０を回収する場合について説明する。二回目以降の排便が終了した状態、即ち図６の状態から操作棒１６を上方に回動すると、連結レバー２０の長穴２１の別端部に当接した操作用回動レバー１８のピン１９を支点として、連結レバー２０、調整用回動レバー２５がさらに回動し、調整用移動棒２６が調整用ガイド穴３の後端部に当接する。
【００７１】
一方、操作用回動レバー１８の長側端部が復帰用回動レバー３５の長側端部に当接し、復帰用回動レバー３５が回動する。この際、復帰用回動レバー３５の短側端部が開閉用回動レバー３０の円弧面に当接して摺動し、開閉用移動棒３１が開閉用ガイド穴４の前端部から離脱して後端部側に移動すると、便袋１０の第一便収容部１１の密封状態が解除される。
【００７２】
そして、前記と同様に、開閉用移動棒３１が開閉用ガイド穴４の中間位置（思案点）を越えると、第二スプリング３２によって、開閉用移動棒３１が開閉用ガイド穴４の後端部に当接して、図３の状態に戻る。
【００７３】
図３の状態であれば、調整用移動棒２６が便袋１０の側部に当接すると共に、開閉用移動棒３１が便袋１０の底部に当接し、便袋１０の第一便収容部１１、及び、第二便収容部１２のいずれもが開口状態となるため、便袋１０の伸縮部材１３を便器本体１の開口部７から取り外し、便袋１０の開口部を手で閉じて、便袋１０の上部を手で巻くようにしながら便器本体１から引き出して、便袋１０を廃棄処分する。
【００７４】
なお、前記実施形態の場合、開閉用移動棒３１及び調整用移動棒２６の両方を移動させたが、開閉用移動棒３１のみを移動させてもよい。
【００７５】
また、前記実施形態の場合、便袋操作機構部１５の構成は、図示に限定されるものではなく、開閉部材（開閉用移動棒３１及び調整用移動棒２６）をワンタッチで、且つ、円滑に移動できる構成のものであればよい。
【００７６】
さらに、前記実施形態の場合、手動式の便袋操作機構部１５としたが、電動式の便袋操作機構部としてもよい。
【産業上の利用可能性】
【００７７】
本発明の簡易便器は、これからの高齢化社会に適していることに加えて、持ち運びが簡単なことからキャンプや車内など場所や年齢を問わずに使用できるため、利用可能性が高い。例えば、車椅子、ベッド、外室用電動車、乳母車などに利用できる。
【図面の簡単な説明】
【００７８】
【図１】本発明の簡易便器を示した斜視図である。
【図２】本発明の簡易便器に内挿する便袋の斜視図である。
【図３】本発明の簡易便器に便袋を実装して、便袋の底部に二つの便収容部が並設された状態を示した側断面図である。
【図４】本発明の簡易便器の便袋に排便した状態の側断面図である。
【図５】本発明の簡易便器において、便袋の底部の一方の便収容部を密封し、且つ、別方の便収容部を小さく開放した状態の側断面図である。
【図６】本発明の簡易便器において、便袋の底部の一方の便収容部を密封し、且つ、別方の便収容部を大きく開放した状態の側断面図である。
【符号の説明】
【００７９】
１  便器本体
２  側板
３  調整用ガイド穴
４  開閉用ガイド穴
５  前板
６  後板
７  開口部
８  支持脚
９  支持板
１０  便袋
１１、１２  第一便収容部、第二便収容部
１３  伸縮部材
１４  中折り部
１５  便袋操作機構部
１５ａ、３７  支軸
１６  操作棒
１７  把持部
１８  操作用回動レバー
１９、３８  ピン
２０  連結レバー
２１  長穴
２５  調整用回動レバー
２６  調整用移動棒（開閉部材）
２７、３２  第一スプリング、第二スプリング
３０  開閉用回動レバー
３１  開閉用移動棒（開閉部材）
３５  復帰用回動レバー
３６  ねじりばね
４０  便座
Ａ  小便収容領域
Ｂ  大便収容領域
Ｃ  排便収容領域
Ｄ  前部便袋逃がし領域
Ｅ  後部便袋逃がし領域
【図１】
2005261463.tif 000003
【図２】
2005261463.tif 000004
【図３】
2005261463.tif 000005
【図４】
2005261463.tif 000006
【図５】
2005261463.tif 000007
【図６】
2005261463.tif 000008